(57)【要約】 【課題】  シール部材の容易な組み付けと抜け出し防止とを両立できる防水コネクタを提供する。【解決手段】  防水コネクタ１は、相手側の雄ハウジング３０と嵌合可能な雌ハウジング１０とゴムリング２０とを備えている。そして、雌ハウジング１０に設けられた係止突片５１には案内面５４が設けられている。また、ゴムリング２０の抜止め部２２に設けられた係止凹部２４と、係止突片５１に設けられた係止突部５３とが互いに嵌まり合うとともに、係止突部５３の規制面５３ａと係止凹部２４の規制受け面２４ａとが当接することで、抜止め部２２の内周側への撓みが規制されている。さらに、組み付け治具を押し当て可能な押圧面２５を備えた押圧部２６が抜止め部２２と隣り合って設けられている。また、雌ハウジング１０において奥壁部１２から外筒部１３に至る位置には監視窓５０が設けられている。【選択図】  図４
2006147474.tif 000002
【特許請求の範囲】
【請求項１】
端子金具を収容可能な端子収容部と、前記端子収容部から外周方向へ向かって立ち上げられた奥壁部と、前記奥壁部に連設されて前記端子収容部の周囲を囲う外筒部とが備えられ、前記端子収容部、前記奥壁部および前記外筒部で囲まれた空間が相手側ハウジングに設けられたフード部を収容可能な組付空間とされたハウジングと、前記組付空間内に装着されて前記ハウジングと前記相手側ハウジングとの間に挟み付けられることで両ハウジング間をシールするシール部材とを備え、
前記シール部材には外周側に向かって張り出し形成された抜止め部が設けられる一方、前記外筒部には前記シール部材の前記組付空間への挿入経路に張り出すように形成されて前記抜止め部と係合する係止突片が設けられた防水コネクタであって、
前記係止突片において前記シール部材が前記組付空間に進入する際に前記シール部材と対向する面には前記シール部材の挿入方向前方に向かって傾斜する案内面が設けられていることを特徴とする防水コネクタ。
【請求項２】
前記係止突片と前記抜止め部とには凹凸の形態で互いに嵌まり合う規制部が設けられており、前記係止突片側の前記規制部において前記外筒部の内壁面と対向する規制面と、前記抜止め部側の前記規制部において前記規制面と対向する規制受け面とが当接することで前記抜止め部の内周側への撓みが規制されていることを特徴とする請求項１に記載の防水コネクタ。
【請求項３】
前記シール部材にはこのシール部材を前記組付空間に押し込むための組み付け治具を押し当て可能な押圧面を備えた押圧部が前記抜止め部と隣り合って設けられていることを特徴とする請求項１または請求項２に記載の防水コネクタ。
【請求項４】
前記ハウジングにおいて前記奥壁部から前記外筒部に至る位置には前記抜止め部と前記係止突片との嵌合状態を外部から目視可能な監視窓が設けられていることを特徴とする請求項１〜請求項３のいずれかに記載の防水コネクタ。
【発明の詳細な説明】
【技術分野】
【０００１】
本発明は、防水コネクタに関する。
【背景技術】
【０００２】
従来、雄雌の両ハウジングの嵌合部にシール部材を備えた防水コネクタとしては、特許文献１に記載されたものが知られている。その一方のハウジングは、端子収容部を形成している内壁部と、この内壁部から外周方向へ向かって立ち上げられた立上り後壁と、この立上り後壁に連設されて内壁部の周囲を囲う外壁部とを備えている。そして、この内壁部、立上り後壁および外壁部で囲まれた嵌合空間に、シール部材と他方のハウジングとが挿入される。
【０００３】
シール部材は内壁部の外周に嵌着されるように筒状に形成されるとともに、その挿入方向奥方の端部に外周方向に向かって張り出すフランジ部を備えている。さらに、このフランジ部には挿入方向奥方に向けて突設された嵌合突起が設けられている。一方、ハウジングにおいて外壁部の内面には内周方向に向かって突設された係止突起が設けられ、立上り後壁にはシール部材の嵌合突起を嵌合するための嵌合孔が形成されている。
【０００４】
そして、シール部材をハウジングに装着する際には、シール部材のフランジ部が係止突起の奥方に収まり、かつ、嵌合突起が嵌合孔に嵌合されるまでシール部材を嵌合空間の奥方に押し込む。そして、シール部材が奥まで押し込まれた状態では、フランジ部の手前側の面が係止突起の奥側の面に当接されることにより、シール部材がハウジングから抜け出さないようにされている。
【特許文献１】特開平７−９４２３４号公報
【発明の開示】
【発明が解決しようとする課題】
【０００５】
しかしながら上記のようにシール部の抜け止めのための構造を備えているものでは、シール部材を挿入する際、フランジ部の奥側の面と係止突起の手前側の面が面当たりしてスムーズな挿入ができず、組み付け作業が容易ではないという問題点がある。
【０００６】
本発明は上記のような事情に基づいて完成されたものであって、シール部材の容易な組み付けと抜け出し防止とを両立できる防水コネクタを提供することを目的とする。
【課題を解決するための手段】
【０００７】
上記の目的を達成するための手段として、請求項１の発明は、端子金具を収容可能な端子収容部と、前記端子収容部から外周方向へ向かって立ち上げられた奥壁部と、前記奥壁部に連設されて前記端子収容部の周囲を囲う外筒部とが備えられ、前記端子収容部、前記奥壁部および前記外筒部で囲まれた空間が相手側ハウジングに設けられたフード部を収容可能な組付空間とされたハウジングと、前記組付空間内に装着されて前記ハウジングと前記相手側ハウジングとの間に挟み付けられることで両ハウジング間をシールするシール部材とを備え、前記シール部材には外周側に向かって張り出し形成された抜止め部が設けられる一方、前記外筒部には前記シール部材の前記組付空間への挿入経路に張り出すように形成されて前記抜止め部と係合する係止突片が設けられた防水コネクタであって、前記係止突片において前記シール部材が前記組付空間に進入する際に前記シール部材と対向する面には前記シール部材の挿入方向前方に向かって傾斜する案内面が設けられているところに特徴を有する。
【０００８】
請求項２の発明は、請求項１に記載のものにおいて、前記係止突片と前記抜止め部とには凹凸の形態で互いに嵌まり合う規制部が設けられており、前記係止突片側の前記規制部において前記外筒部の内壁面と対向する規制面と、前記抜止め部側の前記規制部において前記規制面と対向する規制受け面とが当接することで前記抜止め部の内周側への撓みが規制されているところに特徴を有する。
【０００９】
請求項３の発明は、請求項１または請求項２に記載のものにおいて、前記シール部材にはこのシール部材を前記組付空間に押し込むための組み付け治具を押し当て可能な押圧面を備えた押圧部が前記抜止め部と隣り合って設けられているところに特徴を有する。
【００１０】
請求項４の発明は、請求項１〜請求項３のいずれかに記載のものにおいて、前記ハウジングにおいて前記奥壁部から前記外筒部に至る位置には前記抜止め部と前記係止突片との嵌合状態を外部から目視可能な監視窓が設けられているところに特徴を有する。
【発明の効果】
【００１１】
＜請求項１の発明＞
請求項１の発明によれば、シール部材が組付空間に進入する際に、係止突片においてシール部材と対向する面にはシール部材の挿入方向前方に向かって傾斜する案内面が設けられている。このような構成によれば、シール部材が進入する際に、抜止め部が案内面の傾斜に沿って内周側に撓み、容易に係止突片を乗り越えてその後ろ側に進入することができるから、従来に比べ弱い押し込み力でシール部材を挿入できる。したがって、抜け止めの構造を備えたシール部材であっても容易に組み付けることができる。
【００１２】
＜請求項２の発明＞
請求項２の発明によれば、係止突片と抜止め部とには凹凸の形態で互いに嵌まり合う規制部が設けられている。そして、係止突片側の規制部において外筒部の内壁面と対向する規制面と、抜止め部側の規制部において規制面と対向する規制受け面とが当設することで抜止め部の内周側への撓みが規制されている。
【００１３】
ところで、従来の防水コネクタでは、他方のハウジングを外す際にこのハウジングの動きにつられて、シール部材が手前に強く引っ張られることがあると、フランジ部が内周側に撓んで係止突起から外れてしまうことがある。しかし、本発明の構成によれば、係止突片側の規制面と抜止め部側の規制受け面とが当接するから、シール部材の抜止め部は内周側への撓みを規制される。これにより、組み付け後のシール部材の抜け出しが確実に防止される。
【００１４】
＜請求項３の発明＞
請求項３の発明によれば、シール部材には、このシール部材を組付空間に押し込むための組み付け治具を押し当て可能な押圧面を備えた押圧部が、抜止め部と隣り合って設けられている。このような構成によれば、シール部材において組み付け治具を押し当てできる面が確保されるから、シール部材を容易に組み付けることができる。また、抜止め部は、押圧部が隣り合って設けられているから、抜止め部単独で存在している場合と比べ、剛性が高まって保持力が大きくなる。したがって、抜止め部が係止突片と強く係止し、内側に撓みにくくなるから、シール部材の容易な抜け出しが防止される。
【００１５】
＜請求項４の発明＞
請求項４の発明によれば、ハウジングにおいて奥壁部から外筒部に至る位置には抜止め部と係止突片との嵌合状態を外部から目視可能な監視窓が設けられている。ところで、従来の防水コネクタでは、立上り後壁に嵌合孔が設けられているのみであったので、嵌合孔に嵌合突起が嵌合されている状態は確認できるが、フランジ部が係止突起の後方に収まって確実に係止されている状態を確認することはできない。したがって、シール部材が確実に係止されない状態で留め置かれる可能性がある。しかし、本発明の構成によれば、奥壁部から外筒部に至る位置に監視窓が設けられているから、この監視窓から抜止め部と係止突片の両方を目視できるようになる。したがって、それらの嵌合状態をコネクタハウジングの外側から確認できるようになるから、容易に抜止め部と係止突片の係止状態を確認でき、シール部材の抜け出し防止をより確実なものとすることができる。
【発明を実施するための最良の形態】
【００１６】
以下、本発明の実施形態を図１〜図８によって説明する。
【００１７】
本実施形態の防水コネクタ１は雌型のコネクタであって、雌ハウジング１０（本発明のハウジングに該当する）と、雌ハウジング１０に装着されるゴムリング２０（本発明のシール部材に該当する）とを備えるとともに、相手側の雄ハウジング３０（本発明の相手側ハウジングに該当する）と嵌合可能とされている。ゴムリング２０は雌ハウジング１０と雄ハウジング３０との間に挟み付けられることで両ハウジング１０、３０間をシールするものである。
【００１８】
以下、各構成部材において、両ハウジング１０、３０における嵌合面側を前方とし、また、図１の上側を上方、下側を下方、左側を左方、右側を右方として説明する。
【００１９】
図１には、本実施形態に係る雌ハウジング１０の正面図を、図２には、ゴムリング２０の正面図を、図３には、ゴムリング２０を雌ハウジング１０に装着する前の状態を表す側断面図を示した。
【００２０】
雌ハウジング１０は合成樹脂によって形成され、端子金具４０を収容可能な端子収容部１１と、端子収容部１１から外周方向へ向かって立ち上げられた奥壁部１２と、奥壁部１２に連設されて端子収容部１１の周囲を囲う外筒部１３とを備えている。この端子収容部１１は、図１に示すように、左右方向に長い断面略長方形の角柱状をなしている。また、奥壁部１２は、この端子収容部１１に対して前後方向における中央よりやや後方から、全周に亘って外周方向に突出されている（図３参照）。そして、外筒部１３は、奥壁部１２の外周端部から端子収容部１１の前端面をやや越える位置まで起立された略筒状に形成されている。こうして、端子収容部１１の外周面と、奥壁部１２および外筒部１３の内壁面とで囲まれた空間が雄ハウジング３０とゴムリング２０とを収容可能な組付空間１４とされている。
【００２１】
端子収容部１１には、後述の雄端子金具４１と導通接続される雌端子金具４２を後方から挿入可能なキャビティ１５が、左右方向に所定の間隔を空けて２室配設されている。そして、各キャビティ１５の内周面からはランス１６が片持ち状に突設されている。このランス１６によって、後方から雌端子金具４２が挿入された際には、雌端子金具４２が弾性的に係止されて後方への抜出しが防止されるようになっている。また、端子収容部１１の前壁において各キャビティ１５に対応する位置には、雄端子金具４１のタブ部４１Ａを挿入するためのタブ挿入口１７が設けられている。このタブ挿入口１７の前側の孔縁には、全周にわたって略擂鉢状をなす誘導面が形成され、雄端子金具４１のタブ部４１Ａの進入動作が円滑に誘導されるようになっている。
【００２２】
この雌端子金具４２は、その前側に、角柱状に形成されて雄端子金具４１のタブ部４１Ａと接続可能な略箱形の接続部４３を備え、後側にはバレル部４４を備えている（図７を併せて参照）。このバレル部４４には、電線の端末４５とともに電線用ゴム栓４６が圧着されている。そして、電線用ゴム栓４６がキャビティ１５の内周面に密着することにより、キャビティ１５内の防水が図られるようになっている。
【００２３】
組付空間１４内に収容されるゴムリング２０は、弾性部材（例えばゴム）により形成されている。このゴムリング２０は、雌ハウジング１０と雄ハウジング３０との間に挟みつけられることで両ハウジング１０、３０間のシールを行うシール部２１を備えている（図２、図３参照）。このシール部２１は、前後に開口した角筒状をなすとともにその内周面は端子収容部１１の外周面に嵌合可能な大きさに形成されている。そして、端子収容部１１の外周面に嵌め合わされたシール部２１は、組み付け治具（図示せず）によって端子収容部１１の軸線に沿って前方から後方へ挿入され、奥壁部１２の直前位置に嵌着される（図６を併せて参照）。このシール部２１の内外周面には、防水効果を良好にするための複数条のリップ２３が備えられている。
【００２４】
シール部２１における左右の両短辺部には、ゴムリング２０の抜止めのための抜止め部２２が設けられている。この抜止め部２２は、図３に示すように、シール部２１の後端から後方へ向かって突出された抜止め突出部２２ａと、奥壁部１２に沿って抜止め突出部２２ａの外周面から外筒部１３の内壁面に至るまで外周方向に張り出された抜止め張出部２２ｂと、この抜止め張出部２２ｂの先端部から外筒部１３の内壁面に沿って前方に突設された抜止め側突部２２ｃとを備えている。そして、抜止め側突部２２ｃの内側部分は、前方に開口する溝状の係止凹部２４（本発明における抜止め部側の規制部に該当する）とされている。
【００２５】
各抜止め部２２には、ゴムリング２０を組付空間１４に押し込むための組み付け治具を押し当て可能な押圧面２５を備えた２つの押圧部２６が隣接している（図２参照）。２つの押圧部２６は、抜止め部２２において上下方向（ゴムリング２０の周方向）の両端部にそれぞれ抜止め部２２と一体に設けられている。各押圧部２６は角柱状をなし、前方から見ると、抜止め張出部２２ｂにおける張り出し長を一辺とした略正方形状に形成されているとともに、側方から見ると、抜止め部２２の前端位置とほぼ同じ位置から抜止め部２２の後端位置に至って設けられている。押圧部２６と抜止め部２２との上下方向の幅は、シール部２１の短辺部において両角の円弧部を除いた直線部に収まるようになっている。また、この押圧部２６の前面は、ゴムリング２０を雌ハウジング１０に嵌めつける際に、組み付け治具の端部が押し当てられる押圧面２５となっている。
【００２６】
一方、雌ハウジング１０においてゴムリング２０の抜止め部２２に対応する位置に監視窓５０が設けられている。この監視窓５０は、奥壁部１２においてゴムリング２０の抜止め張出部２２ｂに対向する領域から、外筒部１３においてゴムリング２０の抜止め突出部２２ａに対向する領域にかけて開口され、後述する係止突片５１の上下方向（外筒部１３の周方向）の幅よりやや幅広に形成されている（図１、図３参照）。
【００２７】
さらに、外筒部１３においてゴムリング２０の抜止め部２２に対応する位置に係止突片５１が設けられている。この係止突片５１は、外筒部１３において監視窓５０を形成する開口周面のうち前側部分の開口周面前側部５２から、その径方向内側位置を基部として片持ち状に形成されている。そして、係止突片５１の先端は、内周方向、すなわちゴムリング２０の組付空間１４への挿入経路に張り出すように斜め後方に導出されている。
【００２８】
この係止突片５１においてゴムリング２０が組付空間１４に進入する際にゴムリング２０と対向する面は、先端が後方、すなわちゴムリング２０の挿入方向に向かって下がる案内面５４とされている。
【００２９】
また、係止突片５１の突出端には、後方へ向かって突出するとともにゴムリング２０の係止凹部２４に係合可能な係止突部５３（本発明における係止突片側の規制部に該当する）が形成されている。この係止突部５３は板状に形成され、係止突部５３において外筒部１３の内壁面に対向する規制面５３ａと、係止凹部２４において規制面５３ａに対向する規制受け面２４ａとが当接するようになっている（図６を併せて参照）。
【００３０】
この雌ハウジング１０に嵌合される雄ハウジング３０は合成樹脂により一体に成型され、前方へ開口する略筒状のフード部３１を備えている（図７参照）。このフード部３１の内周面は、ゴムリング２０の外周面に嵌合可能な径寸法とされている。そして、フード部３１内部には雌端子金具４２と導通される雄端子金具４１のタブ部４１Ａが突設されている。
【００３１】
次に、上記のように構成された本実施形態の作用および効果について、図４〜図８を参照しつつ説明する。
【００３２】
図４には、ゴムリング２０の挿入途中の様子を表す側断面図を、図５には、ゴムリング２０が雌ハウジング１０に装着された状態を表す正面図を、図６には、ゴムリング２０が雌ハウジング１０に装着された状態を表す側断面図を示した。
【００３３】
ゴムリング２０を雌ハウジング１０に対して組み付けるには、まず抜止め部２２の位置が雌ハウジング１０の係止突片５１の位置と整合するように位置合わせしつつ、ゴムリング２０を端子収容部１１における前端部の外周面に嵌め合わせた状態にセットする。セットが完了したら、組み付け治具（図示せず）を抜止め部２２の両端に設けられた押圧部２６の押圧面２５に押し当てる。そして、この組み付け治具を雌ハウジング１０の軸線に沿って後ろ側に押し込んでゆく。このように、ゴムリング２０には組み付け治具を押し当てできる面が確保されているから、ゴムリング２０を容易に組み付けることができる。
【００３４】
ゴムリング２０が後方に押し込まれ、図４に示すように、抜止め部２２の後端が係止突片５１に達すると、抜止め部２２が内周側に撓み、係止突片５１に乗り上げる。ここで、係止突片５１においてゴムリング２０と対向する面は、先端が後方、すなわちゴムリング２０の挿入方向に向かって下がる案内面５４とされている。これにより、抜止め部２２が案内面５４の傾斜に沿って案内され、容易に係止突片５１を乗り越えてその後側に進入することができる。このため、従来に比べ弱い押し込み力でゴムリング２０を挿入できる。
【００３５】
そして、抜止め部２２が係止突片５１を乗り越えた後、図６に示すように、抜止め部２２が復元変形して係止突片５１の後方に係止される。このとき、抜止め部２２の係止凹部２４に係止突片５１の係止突部５３が埋め込まれるようにして装着され、抜止め部２２と係止突片５１とが互いに嵌まり合った状態になる。そして、係止突部５３において外筒部１３の内壁面に対向する規制面５３ａと、係止凹部２４において規制面５３ａに対向する規制受け面２４ａとが当接することで、抜止め部２２の内周側への撓みが規制される。これにより、組み付け後のゴムリング２０の抜け止めが図られる。
【００３６】
また、雌ハウジング１０において抜止め部２２に対応する位置に、奥壁部１２から外筒部１３に至る監視窓５０が開口されている。すると、この監視窓５０から抜止め部２２と係止突片５１の両方を目視でき、それらの嵌合状態を雌ハウジング１０の外側から確認できる。したがって、容易に抜止め部２２と係止突片５１の係止状態を確認できるから、ゴムリング２０の抜け止めをより確実なものとすることができる。
【００３７】
図７には、雄ハウジング３０を雌ハウジング１０に装着する前の状態を表す側断面図を、図８には、両ハウジング１０、３０が正規嵌合した状態を表す側断面図を示した。
【００３８】
雌ハウジング１０に雄ハウジング３０を嵌合させる際には、雄ハウジング３０のフード部３１が雌ハウジング１０の組付空間１４に挿入される。このとき、雌ハウジング１０の組付空間１４においてゴムリング２０の外周面と外筒部１３の内壁面との間に、雄ハウジング３０のフード部３１が進入する。そして、両ハウジング１０、３０が正規嵌合に至ると、図８に示すように、フード部３１の前端部が係止突片５１の手前位置に達し、ゴムリング２０がフード部３１の内周面と端子収容部１１の外周面との間に狭圧された状態になる。こうして、両ハウジング１０、３０に密着したゴムリング２０は両ハウジング１０、３０間をシールする。その結果、このゴムリング２０と電線用ゴム栓４６とによって両ハウジング１０、３０の内部空間が密閉される。また、雄雌両端子金具４１、４２が正規に導通接続されると共に、雌ハウジング１０のロックアーム１８が、雄ハウジング３０に設けられたロック突部（図示せず）に係止される。
【００３９】
両ハウジング１０，３０が正規嵌合に至った後、メンテナンスなどの事情により雄ハウジング３０が取り外されることがある。この際、ゴムリング２０は雄ハウジング３０の動きにつられて前方に強く引っ張られる。
【００４０】
しかし、ゴムリング２０の抜止め部２２には、押圧部２６が抜止め部２２と隣り合って設けられている。このため、抜止め部２２が単独で存在している場合と比べ、剛性が高まって保持力が大きくなる。したがって、抜止め部２２が雌ハウジング１０の係止突片５１と強く係止して内側に撓みにくくなるから、ゴムリング２０の容易な抜け出しが防止される。
【００４１】
さらに、係止突片５１に設けられた係止突部５３の規制面５３ａと、抜止め部２２に設けられた係止凹部２４の規制受け面２４ａとが当接して、抜止め部２２の内周側への撓みが規制されている。これにより、ゴムリング２０が手前に強く引っ張られても、ゴムリング２０の抜け出しは確実に防止される。
【００４２】
以上説明したように本実施形態によれば、ゴムリング２０が組付空間１４に進入する際に、係止突片５１においてゴムリング２０と対向する面には、ゴムリング２０の挿入方向前方に向かって傾斜する案内面５４が設けられている。すると、ゴムリング２０が進入する際に、抜止め部２２が案内面５４の傾斜に沿って内周側に撓み、容易に係止突片５１を乗り越えてその後側に進入することができるから、従来に比べ弱い押し込み力でゴムリング２０を挿入できる。したがって、抜け止めの構造を備えたゴムリング２０であっても容易に組み付けることができる。
【００４３】
また、係止突片５１に設けられた係止突部５３と抜止め部２２に設けられた係止凹部２４とが互いに嵌まり合って係止されている。そして、係止突部５３において外筒部１３の内壁面に対向する規制面５３ａと、係止凹部２４において規制面５３ａに対向する規制受け面２４ａとが当接することで、抜止め部２２の内周側への撓みが規制されている。これにより、ゴムリング２０が手前に強く引っ張られても、ゴムリング２０の抜止め部２２は内周側への撓みを規制されるから、組み付け後のゴムリング２０の抜け出しが確実に防止される。
【００４４】
さらに、ゴムリング２０には、このゴムリング２０を組付空間１４に押し込むための組み付け治具を押し当て可能な押圧面２５を備えた押圧部２６が、抜止め部２２と隣り合って設けられている。これにより、ゴムリング２０において組み付け治具を押し当てできる面が確保されるから、ゴムリング２０を容易に組み付けることができる。また、抜止め部２２は、押圧部２６が隣り合って設けられているから、抜止め部２２が単独で存在している場合と比べ、剛性が高まって保持力が大きくなる。したがって、抜止め部２２が係止突片５１と強く係止し、内側に撓みにくくなるから、ゴムリング２０の容易な抜け出しが防止される。
【００４５】
また、雌ハウジング１０において奥壁部１２から外筒部１３に至る位置には抜止め部２２と係止突片５１との嵌合状態を外部から目視可能な監視窓５０が設けられている。これにより、この監視窓５０から抜止め部２２と係止突片５１の両方を目視できるようになる。したがって、それらの嵌合状態を雌ハウジング１０の外側から確認できるようになるから、容易に抜止め部２２と係止突片５１の係止状態を確認でき、ゴムリング２０の抜け出し防止をより確実なものとすることができる。
【００４６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４７】
（１）本実施形態においては、抜止め部２２の係止凹部２４に嵌合可能な係止突部５３が係止突片５１の先端部１箇所のみに形成されているが、これに限らず、係止突片と抜止め部とが互いに嵌合可能な形状に形成されるとともに、係止突片と抜止め部とにおいて互いに当接する規制面と規制受け面とが確保されれば良く、例えば係止突部が係止突片の延出方向中央部に形成されていても良い。また、係止突部が先端部と根元部との２箇所に形成されても良い。
【００４８】
（２）本実施形態においては、抜止め部２２、係止突片５１および監視窓５０がそれぞれ左右２箇所に設けられているが、これに限らず、例えば上下２箇所に設けられていても良い。また、上下左右４箇所に設けられていても良い。
【図面の簡単な説明】
【００４９】
【図１】本実施形態に係る雌ハウジングの正面図
【図２】ゴムリングの正面図
【図３】ゴムリングを雌ハウジングに装着する前の状態を表す側断面図
【図４】ゴムリングの挿入途中の様子を表す側断面図
【図５】ゴムリングが雌ハウジングに装着された状態を表す正面図
【図６】ゴムリングが雌ハウジングに装着された状態を表す側断面図
【図７】雄ハウジングを雌ハウジングに装着する前の状態を表す側断面図
【図８】両ハウジングが正規嵌合した状態を表す側断面図
【符号の説明】
【００５０】
１…防水コネクタ
１０…雌ハウジング（ハウジング）
１１…端子収容部
１２…奥壁部
１３…外筒部
１４…組付空間
２０…ゴムリング（シール部材）
２２…抜止め部
２４…係止凹部（抜止め部側の規制部）
２４ａ…規制受け面
２５…押圧面
２６…押圧部
３０…雄ハウジング（相手側ハウジング）
３１…フード部
４０…端子金具
５０…監視窓
５１…係止突片
５３…係止突部（係止突片側の規制部）
５３ａ…規制面
５４…案内面
【図１】
2006147474.tif 000003
【図２】
2006147474.tif 000004
【図３】
2006147474.tif 000005
【図４】
2006147474.tif 000006
【図５】
2006147474.tif 000007
【図６】
2006147474.tif 000008
【図７】
2006147474.tif 000009
【図８】
2006147474.tif 000010